(57)【要約】【課題】本発明は、前記頭部支持部を摺動させる摺動機構をコンパクト化できるヘッドレスト及び医療用診療台を提供することを目的とする。【解決手段】頭部を保持する頭部保持部１０と、医療用診療台１００を構成する背板２に頭部保持部１０を支持する支持部材３０と、頭部保持部１０に連結されるとともに、支持部材３０に対して摺動自在に組み付けられた連結部材２０と、支持部材３０に対して連結部材２０を固定する固定解除部４０及び係合凹部３３１とが備えられ、支持部材３０に、摺動する連結部材２０を案内する案内部３３が設けられるとともに、連結部材２０に、案内部３３に当接して案内されるベアリング５０が設けられ、係合凹部３３１は、案内部３３を構成する溝側面３３ａ及び溝底３３ｂのうち、ベアリング５０と当接しない溝底３３ｂに配置され、係合部４３１が、連結部材２０に配置されたヘッドレスト１である。【選択図】図８
2018099456.tif 000002
【特許請求の範囲】
【請求項１】
頭部を保持する頭部保持部と、
医療用診療台を構成する背板に前記頭部保持部を支持する支持部材と、
前記頭部保持部に連結されるとともに、前記支持部材に対して摺動自在に組み付けられた連結部材と、
前記支持部材に対して前記連結部材を固定する固定機構とが備えられ、
前記支持部材及び前記連結部材の一方に、
摺動する前記連結部材を案内する案内部が設けられるとともに、
他方に、前記案内部が当接して案内される被案内部が設けられ、
前記固定機構は、
被係止部と、該被係止部に係止される係止部とで構成され、
前記係止部又は前記被係止部の片方は、前記案内部を構成する案内構成面のうち、前記被案内部と当接しない非当接部位に配置され、
前記係止部又は前記被係止部のもう片方は、前記被案内部を設けた前記他方に配置された
ヘッドレスト。
【請求項２】
前記案内部は、溝状に形成された案内溝部で構成され、
前記被案内部は、前記案内溝部に嵌入される凸状に形成された被案内突部で構成され、
前記係止部は、前記案内溝部の溝底に設けられた
請求項１に記載のヘッドレスト。
【請求項３】
前記係止部と前記被係止部との係止状態を解除する係止解除機構が備えられた
請求項１又は請求項２に記載のヘッドレスト。
【請求項４】
前記被係止部は、
前記案内構成面を窪ませた係合凹部で構成され、
前記係止部は、
前記係合凹部に嵌合可能な係合凸部と、
前記係合凸部を係止方向に付勢する付勢部とで構成され、
前記係止解除機構は、
係止方向に付勢された前記係合凸部を前記係合凹部から解除する解除方向に操作する解除操作部が備えられた
請求項３に記載のヘッドレスト。
【請求項５】
前記解除操作部は、
前記支持部材に組み付けられた前記連結部材における前記背板の反対側端部に備えられた
請求項４に記載のヘッドレスト。
【請求項６】
前記案内部が、
幅方向中心に対して対称に設けられた
請求項１乃至請求項５のうちのいずれかに記載のヘッドレスト。
【請求項７】
前記案内部が、
前記頭部保持部の表面から背面に向けた方向に突出する円弧で形成された
請求項１乃至請求項６のうちのいずれかに記載のヘッドレスト。
【請求項８】
前記案内部が、前記支持部材に設けられた
請求項１乃至請求項７のうちのいずれかに記載のヘッドレスト。
【請求項９】
前記被案内部が、転がり玉軸受で構成された
請求項１乃至請求項８のうちのいずれかに記載のヘッドレスト。
【請求項１０】
請求項１乃至請求項９のうちのいずれか一つに記載のヘッドレストと、
前記ヘッドレストを構成する支持部材が上部に組み付けられた背板と、
前記背板が傾動自在に設けられた座席シートとが備えられた
医療用診療台。
【請求項１１】
前記支持部材が前記背板の長手方向に沿って長尺状に形成されるとともに、前記支持部材を前記長手方向に沿って移動させる移動機構が備えられた
請求項１０に記載の医療用診療台。
【発明の詳細な説明】
【技術分野】
【０００１】
この発明は、例えば歯科医療などにおいて患者の頭部を保持するヘッドレスト及び、前記ヘッドレストを備えた医療用診療台に関する。
【背景技術】
【０００２】
例えば歯科などの医療分野において使用されている医療用診療台は、背板を座席シートに対して傾動させることで着座した患者を仰臥姿勢とすることができるものがある。このように患者を仰臥姿勢とすることで、前記患者の口部などの施術対象部位を着座した施術者の頭部よりも低い位置とすることができ、前記施術者は施術や診察がしやすい体勢で前記施術対象部位の診察などをできる。
【０００３】
また、上述の構成に加えて、前記座席シートを傾動させて仰臥姿勢となった患者の頭部を保持する頭部保持部を摺動させることで、前記患者の頭部を所望の位置や角度に調整できるヘッドレストを備えた医療用診療台が多数開示されている。
【０００４】
例えば、特許文献１に開示されている医療用診療台に備えられたヘッドレストは、患者の頭部を保持する頭部保持部が一端側に固定され、かつ、他端側が背板に組み付けられた支持部に対して摺動可能に連結され、長尺状の連結部が下方に向けて円弧状に形成されており、前記連結部を前記支持部に収納した油圧シリンダーで長手方向に摺動させることで、円弧状に形成された前記連結部の摺動に合わせて前記頭部保持部を回動させて、所望の位置や角度に頭部を調整できるとされている。
【０００５】
しかしながら、この特許文献１に記載のヘッドレストでは前記患者の頭部の所望の位置や角度に調整するために、前記連結部を摺動させるための油圧シリンダーを前記支持部に設ける必要があるため、必然的に前記支持部が拡大化されることとなり、前記支持部を組み付ける前記背板も大きくなる。
【先行技術文献】
【特許文献】
【０００６】
【特許文献１】実公昭５９−４２０２４号公報
【発明の概要】
【発明が解決しようとする課題】
【０００７】
この発明は、上記問題点に鑑み、前記頭部支持部を固定させる固定機構をコンパクト化できるヘッドレスト及び医療用診療台を提供することを目的とする。
【課題を解決するための手段】
【０００８】
この発明は、頭部を保持する頭部保持部と、医療用診療台を構成する背板に前記頭部保持部を支持する支持部材と、前記頭部保持部に連結されるとともに、前記支持部材に対して摺動自在に組み付けられた連結部材と、前記支持部材に対して前記連結部材を固定する固定機構とが備えられ、前記支持部材及び前記連結部材の一方に、摺動する前記連結部材の案内する案内部が設けられるとともに、他方に、前記案内部に当接して案内される被案内部が設けられ、前記固定機構は、被係止部と、該被係止部に係止される係止部とで構成され、前記係止部又は前記被係止部の片方は、前記案内部を構成する案内構成面のうち、前記被案内部と当接しない非当接部位に配置され、前記係止部又は前記被係止部のもう片方は、前記他方に配置されたヘッドレストであることを特徴とする。
【０００９】
またこの発明は、上述のヘッドレストと、前記ヘッドレストを構成する支持部材が上部に組み付けられた背板と、前記背板が傾動自在に設けられた座席シートとが備えられた医療用診療台であることを特徴とする。
【００１０】
前記案内部は、例えば前記被案内部を嵌合可能な溝形状で設けられている場合や、案内方向に直交した直交断面の形状がＬ字型や逆Ｌ字型、Ｔ字型、逆Ｔ字型の場合、案内方向に沿った板状体である場合を含む。
【００１１】
前記被案内部は、前記案内部を構成する案内構成面の一面に沿って転動する転動体で構成されている場合や、前記案内構成面の少なくとも一面に沿って滑り接触する構成であってもよい。
【００１２】
なお、前記案内部及び前記被案内部は、一方又は双方が単数又は複数であってもよく、さらには一対である必要もない。すなわち、複数の前記被案内部が一の前記案内部に沿って案内されてもよい。また、前記案内部及び前記被案内部の少なくとも一方が複数ある場合、前記案内部の案内方向と直交する直交断面において前記案内部が、前記案内部の案内方向に沿った面に対して面対称に設けられている必要はなく、非面対称に設けられていてもよい。
【００１３】
上述の前記案内部に当接して案内されるとは、当接する又は当接する可能性があることをさす。具体的には、前記案内部が溝形状で形成されるとともに、前記被案内部が前記案内部に沿って転動する転動体である場合において、前記転動体の回転面が対面する面をさす。
【００１４】
この発明により、前記頭部支持部を固定させる固定機構をコンパクト化することができる。  
詳述すると、前記係止部又は前記被係止部の片方が、前記案内部を構成する案内構成面のうち、前記被案内部と当接しない非当接部位に配置される、すなわち固定機構を前記案内部の内部に設けるため、前記固定機構が前記案内部の外部に形成される場合に比べて固定機構をコンパクト化できる。したがって、前記連結部材又は支持部材を縮小化でき、前記ヘッドレストを縮小化できる。
【００１５】
また、前記係止部又は前記被係止部の片方が、前記案内部を構成する案内構成面のうち、前記被案内部と当接しない非当接部位に配置されることから、前記係止部又は前記被係止部の片方が前記被案内部と干渉することを防止できるため、前記連結部材を滑らかに摺動させることができる。
【００１６】
この発明の態様として、前記案内部は、溝状に形成された案内溝部で構成され、前記被案内部は、前記案内溝部に嵌入される凸状に形成された被案内突部で構成され、前記係止部は、前記案内溝部の溝底に設けてもよい。  
この発明により、前記連結部材又は前記支持部材に設けられた前記案内溝部の内部に前記固定機構が設けられるため、より確実にコンパクト化できる。
【００１７】
なお、上述の凸状に形成された被案内突部は、例えば前記支持部材又は前記連結部材から前記案内溝方向に突出した構成であり、その形状は前記案内溝部の溝底に当接しなければどのような形状であってもよく、例えば前記案内溝部の溝底以外の一面と当接する転動体や、前記案内溝部の溝底以外の面に対して滑り接触する平面を有する凸形状を含む。
【００１８】
またこの発明の態様として、前記係止部と前記被係止部との係止状態を解除する係止解除機構を備えてもよい。  
この発明により、前記係止部と前記被係止部との係止状態を解除して、前記支持部材に固定された前記連結部材を摺動自在とすることができる。すなわち患者の頭部を保持する前記頭部保持部の位置を施術者が望んだ時に変更できる。
【００１９】
またこの発明の態様として、前記被係止部は、前記案内構成面を窪ませた係合凹部で構成し、前記係止部は、前記係合凹部に嵌合可能な係合凸部と、前記係合凸部を係止方向に付勢する付勢部とで構成し、前記係止解除機構は、係止方向に付勢された前記係合凸部を前記係合凹部から解除する解除方向に操作する解除操作部を備えてもよい。
【００２０】
この発明により、前記案内構成面に設けた前記係合凹部は前記案内構成面を窪ませた構成であるため、前記案内部に沿って前記被案内部が案内された場合において、前記被案内部と前記係合凹部とが干渉することをより確実に防止できる。したがって、前記支持部材と連結部材とを確実に固定できるともに、前記連結部材を滑らかに摺動させることができる。
【００２１】
また、前記係合凸部が所定の位置に配置された場合に、前記付勢部の付勢力により自動的に前記係合凸部と前記係合凹部とが係合して固定されるとともに、前記係合凸部と前記係合凹部との係止状態が容易に解除されることを防止できる。一方で、前記解除操作部を備えることで、施術者は望むときには前記係止状態を自在に解除することができる。
【００２２】
このように、所定の位置において容易に係止状態が解除されることがなく、また施術者は患者に対する施術に応じて、前記連結部材と前記支持部材との係止位置、すなわち施術対象を所望の位置に容易に変更させることができるため、より確実な施術できる。
【００２３】
またこの発明の態様として、前記解除操作部は、前記支持部材に組み付けられた前記連結部材における前記背板の反対側端部に備えられてもよい。  
前記反対側端部とは、前記連結部材の前記頭部保持部が設けられている側をさす。
【００２４】
この発明により、施術者にとって患者の頭部が保持される前記頭部保持部側に前記解除操作部が配置されることとなるため、施術者は施術位置や変えることなく容易に前記連結部材の係止を解除でき、患者の施術対象部位を所望の位置に調整することができる。したがって、施術者はストレスを感じることなく施術することができる。
【００２５】
またこの発明の態様として、前記案内部が、幅方向中心に対して対称に設けられてもよい。  
この発明により、前記案内部がバランスよく配置されているため、前記連結部材が前記支持部材に対して一方側に傾いたり捩れたりすることを防止でき、前記連結部材を確実に摺動させることができる。
【００２６】
またこの発明の態様として、前記案内部が、前記頭部保持部の表面から背面に向けた方向に突出する円弧で形成されてもよい。  
この発明により、患者の首の傾斜角度を所望の角度とすることができる。
【００２７】
詳述すると、前記連結部材の摺動を案内する前記案内部を円弧で形成することにより、前記連結部材を円弧に沿って摺動させることができ、前記連結部材に連結された頭部保持部を円弧に沿って摺動させて前記頭部保持部の角度を変えることができる。したがって、上歯列弓を診察などする場合と下歯列弓を診察など場合などで、患者の頭部の角度を所望の角度に変更することができる。
【００２８】
またこの発明の態様として、前記案内部が、前記支持部材に設けられてもよい。  
この発明により、前記背板に固定される前記支持部材に前記案内部が設けられ、摺動される前記連結部材に被案内部が設けられることとなり、前記支持部材に対する前記連結部材の摺動をより安定させることができる。
【００２９】
またこの発明の態様として、前記被案内部が、転がり玉軸受で構成されてもよい。  
この発明により、前記支持部材に対する前記連結部材の摺動を滑らかにすることができる。
【００３０】
詳述すると、前記支持部材に対して前記連結部材が傾いたり捩れたりすることで、前記連結部材の摺動が意図せぬ位置で引っ掛かり滑らかに摺動されないことがある。  
これに対して本発明は、前記被案内部を転がり玉軸受で構成することにより、前記連結部材が滑らかに摺動し、前記連結部材が前記支持部材に対して捩れたりすることを防止できる。
【００３１】
また、前記支持部材が前記背板の長手方向に沿って長尺状に形成されるとともに、前記支持部材を前記長手方向に沿って移動させる移動機構を備えてもよい。
【００３２】
この発明により、首の長さや身長などの身体的特徴が大きく異なる患者に対しても、前記移動機構によりヘッドレストを前記長手方向に移動させてその位置を調整することができる。したがって、ヘッドレストの傾動させた場合に、首の長さなどの違いによって生じる頭部の位置ズレを抑制することができる。
【発明の効果】
【００３３】
この発明により、前記頭部支持部を摺動させる摺動機構をコンパクト化できるヘッドレスト及び医療用診療台を提供することができる。
【図面の簡単な説明】
【００３４】
【図１】医療用診療台の側面図。
【図２】ヘッドレストの説明図。
【図３】ヘッドレストの概略分解斜視図。
【図４】連結部材の説明図。
【図５】支持部材の説明図。
【図６】移動機構の説明図。
【図７】組付状態における連結部材の摺動の説明図。
【図８】組付状態における固定機構の説明図。
【図９】背板に組み付けたヘッドレストの移動についての説明図。
【図１０】他の実施形態の説明図。
【図１１】他の実施形態の説明図。
【００３５】
以下、本発明による医療用診療台１００及び医療用診療台１００を構成するヘッドレスト１について、図１乃至図９とともに説明する。
【００３６】
図１は医療用診療台１００の概略側面図を示し、図２は医療用診療台１００の前方（＋Ｌ側）に設けられたヘッドレスト１の概略斜視図及び概略側面図を示し、図３はヘッドレスト１の概略分解斜視図を示す。ここで、図１において、上下方向を高さ方向Ｈとし、左右方向を前後方向Ｌとする。前後方向Ｌは、左側を前方（＋Ｌ側）、右側を後方（−Ｌ側）とする。なお、前後方向Ｌはヘッドレスト１から背板２、座席シート３に続く医療用診療台１００に乗った患者の体軸方向と一致する。
【００３７】
また、図２において、上下方向を図１と合わせて高さ方向Ｈとし、左手前から右奥への方向を図１における前後方向Ｌとする。そして、右手前から左奥への方向、すなわち医療用診療台１００の前後方向Ｌ及び高さ方向Ｈと直交する方向を幅方向Ｗとする。なお、図２において、高さ方向Ｈの上方を＋Ｈ側、下方を−Ｈ側とし、前後方向Ｌの左手前を後方（−Ｌ側）、右奥側を前方（＋Ｌ側）とし、幅方向Ｗの右手前を左側（−Ｗ側）、左奥側を右側（＋Ｗ側）とする。この方向は、図３乃至図５、図７、図８において同様とする。
【００３８】
図４はヘッドレスト１を構成する連結部材２０の説明図を示し、図５はヘッドレスト１を構成する支持部材３０の説明図を示す。詳しくは、図４（ａ）は連結部材２０の右手前（−Ｗ方向）からの側面図を示し、図４（ｂ）は円弧状に構成された連結部材２０の案内方向に沿った断面を、簡略化するために直線状に示して表した連結部材２０の簡略断面図を示している。
【００３９】
図５（ａ）は支持部材３０の右手前（−Ｗ方向）からの側面図を示し、図５（ｂ）は図５（ａ）におけるＡ−Ａ端面を簡略化した簡略端面図を示し、図５（ｃ）は支持部材３０を案内部３３の案内軸方向に沿って切断した断面を上方から視た場合における支持部材３０の簡略断面図示している。なお、図５（ｃ）においては円弧状に形成されている案内軸部３１を簡略化して直線状に表している。
【００４０】
図６は、背板２に対してヘッドレスト１を移動可能に支持する移動機構６０の説明図であり、詳しくは図６（ａ）は背板２に対してヘッドレスト１を固定した状態の背板２の断面図を示し、図６（ｂ）は図６（ａ）において円で囲んだ部分、すなわち移動機構６０の拡大断面図を示す。
【００４１】
図７は、頭部保持部１０の支持部材３０に対する摺動動作を説明するための説明図を示し、図７（ａ）はベアリング５０と案内部３３との関係を表した支持部材３０の側面図を示し、図７（ｂ）は連結部材２０を支持部材３０に摺動した状態におけるヘッドレスト１の側面図を示す。なお、図７（ａ）は頭部保持部１０及び連結部材２０を点線で表示することで頭部保持部１０及び連結部材２０を透過した状態を示している。
【００４２】
図８は支持部材３０に対する頭部保持部１０及び連結部材２０の摺動動作における、ヘッドレスト１の固定状態を説明するための断面図を示している。具体的には、図８（ａ）は所定の位置において支持部材３０に対して固定された連結部材２０の簡略断面図を示し、図８（ｂ）は所定の位置において支持部材３０に対して固定が解除され摺動された連結部材２０の簡略断面図を示す。
【００４３】
図９は、背板２に対してヘッドレスト１を移動できる状態における移動機構６０の説明図であり、図６（ａ）は背板２に対してヘッドレスト１を移動可能とした状態の背板２の断面図を示し、図６（ｂ）は図６（ａ）において円で囲んだ部分、すなわち移動機構６０の拡大断面図を示す。
【００４４】
まず、医療用診療台１００の全体像について、図１に基づき説明する。  
医療用診療台１００は、患者の頭部を所望の角度で支持するヘッドレスト１と、ヘッドレスト１が組み付けられるとともに患者の背部を支持する背板２と、患者が着座するための座席シート３と、患者が足を配置するためのフットレスト４とが前後方向Ｌに沿って前方（＋Ｌ側）からこの順で並んで配置され、医療用診療台１００の下方には背板２などの傾動を操作するフットコントローラ５が配置されている。
【００４５】
座席シート３の＋Ｌ側の端部分に傾動可能に支持されている背板２は、座席シート３に着座した患者がもたれるための背もたれであり、フットコントローラ５を踏み込み操作することで、座席シート３に対して自在に傾動させることができる。換言すると、座席シート３に対して背板２が起立した起立姿勢と、座席シート３に対して背板２が略水平となった水平姿勢（座席シート３に着座した患者が仰臥した姿勢）との間で姿勢を自在に変えることができる。
【００４６】
フットレスト４は、座席シート３に対する背板２の傾動動作に合わせて傾動するように、座席シート３の−Ｌ側の端部分に枢支されている。すなわち、背板２が座席シート３に対して略水平となるように傾動させることで、フットレスト４も座席シート３に対して略水平となるように枢動し、医療用診療台１００を水平姿勢とすることができる。
【００４７】
背板２の＋Ｌ側に組み付けられているヘッドレスト１は、図２及び図３に示すように、座席シート３に着座した患者の頭部を保持する頭部保持部１０と、頭部保持部１０に連結されている連結部材２０と、背板２に固定される支持部材３０とで構成されている。
【００４８】
頭部保持部１０は、例えば水平姿勢において、仰臥した患者の頭部を保持する保持部であり、正面視（＋Ｌ側から視て）Ｕ字形状に形成された頭部保持部１０の外形を形成するフレーム１１と、フレーム１１の内側に設けられた柔軟性のあるクッション１２と、フレーム１１の下側（裏側）において下方に設けられた頭部側固定部１３とで構成されている。
【００４９】
頭部側固定部１３は、図２（ｂ）に示すように、頭部保持部１０の下方（−Ｈ側）に設けられた固定用のフレームであり、−Ｈ側の端面には後述する連結部２１と固定するための固定部が設けられている（図示省略）。
【００５０】
連結部材２０は、図３及び図４に示すように、側面視で円弧状に形成された連結部２１と、連結部２１の＋Ｌ側端部に備えられた固定板２２とで構成され、連結部２１には固定解除部４０と４つのベアリング５０とが備えられている。  
なお、固定板２２は、連結部２１の＋Ｌ側端部に設けられた板状体であり、頭部側固定部１３と固定する連結部側固定部（図示省略）を介して、頭部保持部１０と一体に固定されている。
【００５１】
連結部２１は、図４（ａ）に示すように、側面視で下方に膨らんだ円弧状に形成されるとともに、円弧の径方向Ｒに沿って切断した切断面が中空状の四角形となる筒状体で形成されている。
【００５２】
この連結部２１の−Ｗ側側面２１ａの中央より＋Ｌ側は、他の面よりも板厚が２倍程厚く形成されており、後述する固定解除部４０を回転可能に固定するための固定具取り付け部２３が設けられている。また、連結部２１を形成する両側面（±Ｗ側側面）の中央部分よりも−Ｌ側及び−Ｌ側端部にはベアリング用固定孔２４が設けられている。
【００５３】
ここで固定具取り付け部２３について詳述する。  
固定具取り付け部２３は、図４に示すように、連結部２１の−Ｗ側側面２１ａを貫通する組み付け孔２３１と、連結部２１の−Ｗ側の上面及び底面に設けた操作軸設置部２３２と、組み付け孔２３１を塞ぐカバー２３３とで構成されている。
【００５４】
−Ｗ側側面２１ａを貫通する組み付け孔２３１は、長方形の長手方向両端部を半円で形成した長円型をしており、その短辺（半円の径）は−Ｗ側側面２１ａの幅（径方向Ｒの長さ）の３分の１ほどの長さである。なお、組み付け孔２３１の長辺は連結部２１の径方向Ｒと直交する接線方向Ｔに沿っている。  
操作軸設置部２３２は、連結部２１を構成する上面及び底面を貫通する円形状の貫通孔であり、−Ｗ側側面２１ａの板厚のおよそ半分の径を有する円形状に形成されている。
【００５５】
カバー２３３は、図４（ａ）及び図４（ｂ）に示すように、矩形状の薄い板状体であり、長辺が組み付け孔２３１の長辺よりも短く、短辺が組み付け孔２３１の短辺の約２倍の長さとなるように構成されている。このカバー２３３は、組み付け孔２３１の−Ｌ側の円弧部分を除いた−Ｌ側端部から組み付け孔２３１に沿って配置され、ボルト締めすることで−Ｗ側側面２１ａにボルト固定されている。すなわち、カバー２３３は組み付け孔２３１の−Ｌ側を覆うように固定されている。  
また、カバー２３３の−Ｌ側には、後述するコイルバネ４５を固定するカバー側バネ固定部２３４が設けられている。
【００５６】
このようなに構成された固定具取り付け部２３に備えられている固定解除部４０は、支持部材３０に対する連結部材２０の固定及び固定の解除を操作する固定解除手段であり、図４（ｂ）に示すように、固定解除を操作する解除操作部４１と、解除操作部４１が＋Ｌ側に固定されている操作側軸部４２と、操作側軸部４２の−Ｌ側と連結されている固定側軸部４３と、操作側軸部４２と固定側軸部４３との連結部分に設けられた回転軸部４４と、固定側軸部４３の他端側に備えられたコイルバネ４５とで構成されている。
【００５７】
解除操作部４１は、外側円柱体４１１と、外側円柱体４１１の＋Ｗ側に位置する連結円柱部４１２と、連結円柱部４１２よりも＋Ｗ側に位置する嵌合部４１３とが幅方向Ｗに沿ってこの順で並んだ構成である。  
最も−Ｗ側に位置する外側円柱体４１１は、組み付け孔２３１の幅よりも拡径な円を底面とし、高さがＷ側側面の板厚と略同じ長さの円柱体である。
【００５８】
連結円柱部４１２は、外側円柱体４１１よりも縮径でかつ組み付け孔２３１の幅よりも径が短い円柱体であり、外側円柱体４１１と嵌合部４１３を連結している。なお、外側円柱体４１１と連結円柱部４１２との連結部分には外側円柱体４１１よりも拡径な鍔部が設けられている。  
また、最も＋Ｗ側に位置する嵌合部４１３は、連結円柱部４１２よりも縮径で、かつ、操作側軸部４２の板厚の半分程度の高さで構成された円柱体である。
【００５９】
操作側軸部４２は、長手方向の長さが組み付け孔２３１の半分弱の長さで構成された棒状体であり、一端側（＋Ｌ側）に解除操作部４１を圧入嵌合するための被嵌合部４２１が設けられ、固定側軸部４３との連結部分の中央には回転軸部４４を挿入させるための挿入孔４２２が設けられている。このような構成を有する操作側軸部４２は長手方向が前後方向Ｌに沿うように組み付け孔２３１の＋Ｌ側に配置されている。  
なお、解除操作部４１は、解除操作部４１を構成する嵌合部４１３が被嵌合部４２１に圧入嵌合されることで操作側軸部４２に固定されている。
【００６０】
固定側軸部４３は、操作側軸部４２の−Ｌ側端部から＋Ｗ側に傾いて延びる、先端が側面視で円弧状に形成された棒状体であり、操作側軸部４２と一体に構成されている。この固定側軸部４３の−Ｌ側端部の−Ｗ側には後述する係合凹部３３１と係合する係合部４３１が形成されており、＋Ｗ側には後述するコイルバネ４５を固定するためのバネ固定部４３２が設けられている。  
なおバネ固定部４３２は、連結部材２０が支持部材３０に固定された状態において、カバー側バネ固定部２３４と幅方向に対向して設けられている。
【００６１】
また、係合部４３１は棒状体である固定側軸部４３の−Ｌ側端部の形状としているが、例えば、固定側軸部４３の−Ｌ側端部から＋Ｗ側に突出した凸部を設けた構成としてもよい。
【００６２】
回転軸部４４は、操作側軸部４２と固定側軸部４３との連結部位に設けられた挿入孔４２２及び操作軸設置部２３２を貫通した円柱体であり、その底面は操作軸設置部２３２と略同径の円形状をしている。また回転軸部４４は、上下端部に設けられた固定用のネジ受け（図示省略）にネジを螺合することで連結部材２０に固定されている。（図示省略）。
【００６３】
コイルバネ４５は、幅方向Ｗに付勢力を生じさせるコイルバネであり、両端がそれぞれバネ固定部４３２とカバー側バネ固定部２３４とに固定されている。  
なお、本実施形態において、固定側軸部４３を＋Ｗ側に付勢するコイルバネ４５を設けているが、必ずしもこの位置に設ける必要はなく、例えば、解除操作部４１側に−Ｗ側に付勢するコイルバネ４５を設けてもよく、また回転軸部４４に回転を阻止するように力が作用する弾性材を取り付けてもよい。
【００６４】
また、コイルバネ４５はコイルバネである必要もなく、幅方向Ｗに付勢力を生じさせることができればどのような弾性材であってもよく、例えばゴムなどの合成樹脂などでも構わない。
【００６５】
このように構成された固定解除部４０は、解除操作部４１を＋Ｗ方向に押圧することで、回転軸部４４を回転軸として連結部材２０に対して相対回転することができる。すなわち、解除操作部４１を押圧することにより、固定側軸部４３の係合部４３１を−Ｗ側に移動させることができる。なお、コイルバネ４５により固定側軸部４３の移動は付勢されているため、解除操作部４１に対する＋Ｗ方向への力（押圧）を止めると、固定側軸部４３は＋Ｗ方向へと移動することとなる。
【００６６】
連結部２１を形成する両側面（±Ｗ側側面）に設けられたベアリング用固定孔２４は、後述する案内部３３に沿って転動するベアリング５０の支持軸である固定軸部５２を固定するための円形の貫通孔である。このベアリング用固定孔２４は、図４（ｂ）に示すように、連結部２１を形成する側面を板厚方向に貫通しており、上述のように連結部２１を形成する両側面の中央部分及び−Ｌ側端部にそれぞれ設けられている。
【００６７】
ベアリング用固定孔２４に固定されるベアリング５０は、連結部２１の両側面から内側に突出する凸状体である、いわゆる転がり玉軸受であり、連結部材２０が支持部材３０に対して摺動する場合に後述する案内部３３に沿って転動する回転部５１と、回転部５１の回転中心に固定された固定軸部５２とで構成されている。
【００６８】
固定軸部５２は、ベアリング用固定孔２４と略同一の径の円を底面とする円柱体であり、一端側にはボルト固定するためのボルト孔が設け（図示省略）、他端側は回転部５１の内径部分に圧入嵌合することで固定されている。
【００６９】
回転部５１は、所定の外径とベアリング用固定孔２４と略同形の内径を有する環状体である。  
詳しくは、環状体である回転部５１は、外径が後述する案内部３３の幅よりも一回り小さく形成され、内径が固定軸部５２の径と略等しく形成されている。すなわち、案内部３３に回転部５１を嵌め込んだ場合に、回転部５１の外周面は一方向のみが溝側面３３ａに接触することとなり、また回転部５１の内径部分には固定軸部５２を圧入して一体に固定することができる。なお、詳細は省略するが、回転部５１の外周部分は固定軸部５２に対して相対回転することができる。
【００７０】
支持部材３０は、図５に示すように、連結部２１と同軸の円弧状で形成された案内軸部３１と、前後方向Ｌに延びる棒状体の支持軸部３２とで一体に構成されている。また、案内軸部３１と支持軸部３２とは別体で構成されていてもよい。  
案内軸部３１は、図５（ａ）に示すように、側面視において連結部２１と同軸の円弧状に形成され、幅方向の両側面にはベアリング５０を案内する案内部３３が形成されている。
【００７１】
より具体的には、案内軸部３１の両側面に形成される案内部３３は、図５（ｂ）に示すように、案内軸部３１の中央部分を幅方向Ｗの内側に窪ませた溝であり、径方向Ｒに沿って切断した断面の形状は略Ｉ字状となる。すなわち、案内部３３は、幅方向Ｗの中心に対して対称に設けられている。
【００７２】
この案内部３３を構成する構成面は、溝の側面を形成する溝側面３３ａと、溝の底面を形成する溝底３３ｂとで構成されており、−Ｗ側に形成された溝底３３ｂには、係合部４３１と係合可能な係合凹部３３１が形成されている。  
なお、案内軸部３１ａ同士の間隔（案内部３３の幅）は、回転部５１の径よりもわずかに長く形成されている。
【００７３】
係合凹部３３１は、図５（ａ）に示すように、側面視において係合部４３１と同形状をした凹部である。より詳しくは、係合凹部３３１は−Ｌ側が側面視で円弧状に形成され、−Ｌ側部分の深さが案内軸部３１の厚みの５分の１程度となる窪みである。なお、係合凹部３３１は＋Ｌ側に向けうにつれて窪みが浅くなっている。換言すると、係合凹部３３１の＋Ｌ側端部は溝底３３ｂと滑らかに繋がっており、−Ｌ側に向かうにつれて−Ｗ方向に窪むテーパ形状をしている（図５（ｃ）参照）。
【００７４】
このように構成された係合凹部３３１は、図５（ａ）に示すように、溝底３３ｂに沿って所定の間隔を隔てて並んで８個配置されている。なお、本実施形態では、係合凹部３３１を８個並べているが、この個数に限定することはなく、適宜設計で変更することができる。
【００７５】
支持軸部３２は、案内軸部３１の−Ｌ側端部から前後方向Ｌに沿って延びる中実の棒状体であり、背板２に設けた支持枠６１に挿入することでヘッドレスト１を背板２に支持することができる。なお、支持軸部３２の下面（−Ｈ側面）には、図５（ａ）の点線で示すように、＋Ｈ側に窪ませて設けられた８個の位置固定穴３２１が支持軸部３２の長手方向に沿って等間隔で配置されている。
【００７６】
ヘッドレスト１を背板２に組み付けた状態において、ヘッドレスト１と背板２とは移動機構６０を介して固定されている。この移動機構６０は、図６に示すように、背板２の＋Ｌ側から背板２の内部に挿入する中空状の支持枠６１と、支持枠６１を形成する下面の一部から背板２の背面側を形成された操作レバー配置部６２と、ヘッドレスト１を背板２に対して相対移動するための操作部である操作レバー６３と、支持軸部３２の短手方向において操作レバー６３の上端部分から支持軸部３２の長手方向に沿って延びる係止片６４と、係止片６４を前後方向Ｌに付勢する係止用バネ６５と、係止片６４と係止するとともに支持軸部３２の高さ方向Ｈに沿って延びる固定片６６と、係止片６４を高さ方向Ｈに付勢する固定用バネ６７とで構成されている。
【００７７】
なお、図６及び図９において、座席シート３に対して背板２が起立した水平状態を基準とする。すなわち、背板２の背面側を下方（−Ｈ）とし、背板２の正面側を上方（＋Ｈ）とする。同様に、背板２を基準に座席シート３側は後方（−Ｌ）となる。
【００７８】
支持枠６１は、＋Ｌ側から支持軸部３２を挿入できるように、背板２の背面側内部に組み込まれた断面四角形状をした有底の筒状体であり、支持枠６１の−Ｌ側の背面部分には、位置固定穴３２１の背面側断面と略同形状の貫通孔である固定用貫通孔６１１が設けられている。
【００７９】
操作レバー配置部６２は、図６（ｂ）に示すように、背板２の背面側（−Ｈ側）の一部分を内部に窪ませて形成された凹部であり、背板２の−Ｈ側に施術者の親指を除く４本の指を入れることができる程度の大きさの空間を形成する。
【００８０】
詳述すると、操作レバー配置部６２は、背板２の内部において支持枠６１に沿った底面６２１と、底面６２１の端部から背面に立設する側面６２２と、操作レバー配置部６２の座席シート３側を覆う上面６２３と、操作レバー配置部６２の＋Ｌ側において底面６２１の中央に設けられた平面である操作部形成面６２４とで構成された凹部である。
【００８１】
底面６２１の後方側（−Ｌ側）には、固定用貫通孔６１１と同じ大きさの貫通孔である固定片挿通孔６２５が設けられ、また操作部形成面６２４には後述する操作レバー６３が高さ方向Ｈに挿通可能でかつ、前後方向Ｌに沿って移動可能な貫通孔である操作レバー用貫通孔６２６が設けられている。
【００８２】
操作レバー６３は、ヘッドレスト１と背板２との固定を解除するための操作レバーであり、幅方向Ｗに沿った略板状体で構成されている。この操作レバー６３は、高さが底面６２１よりも短く、一端側が操作部形成面６２４の上方側（＋Ｈ側）に配置され、他端側が操作部形成面６２４の下方側（−Ｈ側）に突出し、下方側の−Ｌ側面は、施術者が操作しやすいように人の指がかかるように形成されている（図示省略）。
【００８３】
係止片６４は、図６（ｂ）に示すように、操作レバー６３の＋Ｈ側端部から−Ｌ側に延びる板状体であり、操作レバー６３と一体に形成されている。この係止片６４の−Ｌ側先端部分は、背面側（−Ｈ側）に向けて先細りする係止側テーパ面６４１ａと、係止側テーパ面６４１ａの先端から背面側に設けられた係止側垂直面６４１ｂとで構成された固定用係止部６４１が設けられている。  
なお、係止片６４は、係止片６４のヘッドレスト１側の側面と底面６２１との間に介在するコイルバネ（係止用バネ６５）により、−Ｌ側に向かって力が作用するように付勢されている。
【００８４】
一方で、係止片６４の後方側（−Ｌ側）に配置されている固定片６６は、高さ方向Ｈに沿って延びる棒状体であり、固定片６６の＋Ｈ側端部には位置固定穴３２１と嵌合可能な形状の固定用嵌合部６６１が形成され、−Ｈ側側面には固定用係止部６４１が係止できる固定用被係止部６６２が設けられている。
【００８５】
また、固定片６６の−Ｈ側に形成される面と上面６２３との間には、固定片６６を−Ｈ側に付勢する力が作用するコイルバネ（固定用バネ６７）が介在する。すなわち、固定用係止部６４１と固定用被係止部６６２との係合が解除された状態において、固定片６６は背板２の背面側に移動することとなり、固定用嵌合部６６１と位置固定穴３２１との嵌合が解除されることとなる。  
なお、固定用バネ６７は、係止用バネ６５よりもバネ定数の低いコイルバネであり、固定用係止部６４１と固定用被係止部６６２とが係止した状態においては、固定片６６は＋Ｈ側に配置される。
【００８６】
固定用係止部６４１と係止可能に形成された固定用被係止部６６２についてより詳しく説明すると、図６（ｂ）に示すように、固定用被係止部６６２は固定用係止部６４１と同様に、座席シート３側に向かうにつれて−Ｈ側に傾斜する被係止側テーパ面６６２ａと、被係止側テーパ面６６２ａの先端から背面側に設けられた被係止側垂直面６６２ｂとで構成されている。
【００８７】
なお、固定用被係止部６６２の被係止側テーパ面６６２ａは、固定用嵌合部６６１と位置固定穴３２１との嵌合が解除された状態において、係止側垂直面６４１ｂ及び係止側テーパ面６４１ａの一部分と重複するように配置されるように設計されている（図９参照）。
【００８８】
このように構成された頭部保持部１０、及び、連結部材２０、支持部材３０は、頭部保持部１０の頭部側固定部１３が連結部材２０の固定板２２に固定されているとともに、連結部材２０に設けられた４つのベアリング５０を案内部３３に沿って移動可能に連結することで一体に構成されており、連結部材２０に固定された頭部保持部１０は支持部材３０に対して摺動することができる（図７参照）。
【００８９】
詳述すると、案内部３３に配置された回転部５１の径は、案内部３３の幅よりもわずかに小さく、回転部５１の下方のみが案内部３３を形成する溝側面３３ａと接触して転動することができるため（図７（ａ）参照）、連結部材２０は円弧状に形成された案内部３３に沿って移動することができる。これにより、固定板２２と頭部側固定部１３とを固定することで連結部材２０に固定された頭部保持部１０を支持部材３０に対して摺動でき、頭部保持部１０を支持部材３０に対して傾動させることができる（図７（ｂ）参照）。
【００９０】
また、ヘッドレスト１は固定解除部４０を備えているため、連結部材２０は支持部材３０に対して所定の位置で確実に固定できるとともに、容易に固定を解除することができる。  
以下、連結部材２０と支持部材３０との固定及び固定解除について、図８に基づいて簡単に説明する。
【００９１】
連結部材２０の−Ｗ側側面に設けられた固定具取り付け部２３には、固定解除部４０が備えられている。この固定解除部４０を構成する固定側軸部４３の−Ｌ側先願部分には、溝底３３ｂに形成された係合凹部３３１と係合可能な形状をした係合部４３１が設けられ、また係合部４３１はコイルバネ４５によって＋Ｗ側に付勢されているため、係合部４３１が係合凹部３３１と対向する位置おいては、係合部４３１が係合凹部３３１と係合して、連結部材２０を支持部材３０に固定することができる。これにより、頭部保持部１０を所望の位置で固定することができる。
【００９２】
なお、仮に係合凹部３３１と係合部４３１とが対向しない場合であっても、係合凹部３３１が−Ｌ側に向かうにつれて＋Ｈ側に窪んだテーパ形状をしているため、係合部４３１が係合凹部３３１のテーパ面に沿って移動し、所定の位置で係合凹部３３１と係合部４３１とが係合することとなり、連結部材２０は支持部材３０に固定される。
【００９３】
さらに、連結部材２０にはベアリング５０が設けられているため、例えば頭部保持部１０に対して偏った力が作用して、ベアリング５０と案内部３３とが抉れた場合であっても、ベアリング５０が偏った力を受けた状態で転動することができるため、連結部材２０を支持部材３０に対して滑らかに転動させることができる。
【００９４】
さらにまた、固定解除部４０を構成する固定側軸部４３の−Ｌ側先端部分と連結部材２０に固定されたカバー２３３との間には、コイルバネ４５が設けられており、固定側軸部４３が＋Ｗ側に付勢されているため、例えば外力が作用しても容易に固定側軸部４３の係合が解除されず支持部材３０に対して連結部材２０を固定したままとすることができる。
【００９５】
一方で、図８（ｂ）に示すように、解除操作部４１を＋Ｗ方向に押圧することで、固定解除部４０が回転軸部４４を回転軸として回転し、固定側軸部４３（係合部４３１）が−Ｗ方向に移動して、係合部４３１と係合凹部３３１の係合を解除することができるため、頭部保持部１０（連結部材２０）を案内部３３に沿って所望の位置に移動させることができる。
【００９６】
このように、頭部を保持する頭部保持部１０と、医療用診療台１００を構成する背板２に頭部保持部１０を支持する支持部材３０と、頭部保持部１０に連結されるとともに、支持部材３０に対して摺動自在に組み付けられた連結部材２０と、支持部材３０に対して連結部材２０を固定する固定解除部４０及び係合凹部３３１とが備えられ、支持部材３０に、摺動する連結部材２０を案内する案内部３３が設けられるとともに、連結部材２０に、案内部３３に当接して案内されるベアリング５０が設けられ、係合凹部３３１は、案内部３３を構成する溝側面３３ａ及び溝底３３ｂのうち、ベアリング５０と当接しない溝底３３ｂに配置され、係合部４３１は、連結部材２０に配置されたヘッドレスト１であることにより、頭部保持部１０を支持部材３０に対して摺動させる摺動機構をコンパクト化することができる。
【００９７】
詳述すると、支持部材３０に連結部材２０を固定する係合凹部３３１を溝底３３ｂに設けることができ、固定に必要な構成を支持部材３０の内部に設けることができるため、固定解除部４０が案内部３３の外部に形成される場合に比べてヘッドレスト１をコンパクト化できる。  
また、係合凹部３３１が溝底３３ｂに配置されることから、係合凹部３３１がベアリング５０と干渉することがなく、連結部材２０を滑らかに摺動させることができる。
【００９８】
さらにまた、係合部４３１と係合凹部３３１との係止状態を解除する解除操作部４１を備えることにより、係合部４３１と係合凹部３３１との係止状態を解除して、支持部材３０に固定された連結部材２０を摺動自在とすることができる。すなわち患者の頭部を保持する頭部保持部１０の位置を施術者が望んだ時に変更できる。
【００９９】
また、係合凹部３３１は、溝底３３ｂを窪ませた係合凹部３３１で構成し、固定解除部４０は、係合凹部３３１に嵌合可能な係合部４３１と、係合部４３１を係止方向に付勢するコイルバネ４５と、係止方向に付勢された係合部４３１を係合凹部３３１から解除する解除方向に操作する解除操作部４１を備えることにより、案内部３３に沿ってベアリング５０が案内された場合において、ベアリング５０と係合凹部３３１とが干渉することを防止できる。したがって、支持部材３０と連結部材２０とを確実に固定できるともに、連結部材２０を滑らかに摺動させることができる。
【０１００】
さらに、係合部４３１が所定の位置に配置された場合に、コイルバネ４５の付勢力により自動的に係合部４３１と係合凹部３３１とが係合して固定されるとともに、係合部４３１と係合凹部３３１との係止状態が容易に解除されることを防止できる。一方で、解除操作部４１を備えることで、施術者は望むときには係止状態を自在に解除することができる。
【０１０１】
このように、所定の位置において容易に固定が解除されることがなく、また施術者は患者に対する施術に応じて、連結部材２０と支持部材３０との係止位置、すなわち施術対象を所望の位置に容易に変更させることができるため、より確実な施術できる。
【０１０２】
また、解除操作部４１は、支持部材３０に組み付けられた連結部材２０における背板２の反対側端部に備えることにより、施術者にとって患者の頭部が保持される頭部保持部１０側に解除操作部４１が配置されることとなるため、施術者は施術位置や変えることなく容易に連結部材２０の係止を解除でき、患者の施術対象部位を所望の位置に調整することができる。したがって、施術者はストレスを感じることなく施術することができる。
【０１０３】
さらにまた、案内部３３が、幅方向中心に対して対称に設けることにより、案内部３３がバランスよく配置されているため、連結部材２０が支持部材３０に対して一方側に傾いたり捩れたりすることを防止でき、連結部材２０を確実に摺動させることができる。
【０１０４】
また、案内部３３が、頭部保持部１０の表面から背面に向けた方向に突出する円弧で形成されることにより、患者の首の傾斜角度を所望の角度とすることができる。  
詳述すると、連結部材２０の摺動を案内する案内部３３を円弧で形成することにより、連結部材２０を円弧に沿って摺動させることができ、連結部材２０に連結された頭部保持部１０を円弧に沿って摺動させて頭部保持部１０の角度を変えることができる。したがって、上歯列弓を診察などする場合と下歯列弓を診察など場合などで、患者の頭部の角度を所望の角度に変更することができる。
【０１０５】
また、案内部３３が、連結部材２０に設けられていることにより、背板２に固定される連結部材２０に案内部３３が設けられ、摺動される支持部材３０にベアリング５０が設けられることとなり、連結部材２０に対する支持部材３０の摺動をより安定させることができる。
【０１０６】
さらに、案内部３３に案内される被案内部を、転がり玉軸受で構成されるベアリング５０で構成することにより、支持部材３０に対する連結部材２０の摺動を滑らかにすることができる。  
詳述すると、支持部材３０に対して連結部材２０が傾いたり捩れたりすることで、連結部材２０の摺動が意図せぬ位置で引っ掛かり、滑らかに摺動されないことがある。これに対して本発明は、ベアリング５０を転がり玉軸受で構成することにより、連結部材２０が滑らかに摺動し、連結部材２０が支持部材３０に対して捩れたりすることを防止できる。
【０１０７】
また、ヘッドレスト１を背板２に組み付けた医療用診療台１００において、支持部材３０が背板２の長手方向に沿って長尺状に形成されるとともに、支持部材３０を長手方向に沿って移動させる移動機構６０を備えることにより、首の長さや身長などの身体的特徴が大きく異なる患者に対しても、移動機構６０によりヘッドレスト１を長手方向に移動させてその位置を調整することができる。したがって、ヘッドレスト１の傾動させた場合に、首の長さなどの違いによって生じる頭部の位置ズレを抑制することができる。
【０１０８】
詳述すると、図９に示すように、移動機構６０を構成する操作レバー６３を＋Ｌ側に引くことにより、係止片６４が＋Ｌ方向に移動し、固定用係止部６４１と固定用被係止部６６２との係止が解除され、固定片６６が固定用バネ６７の付勢力により下方（−Ｈ側）に下がることとなる。これにより、固定用嵌合部６６１と位置固定穴３２１との嵌合が解除され、支持部材３０を前後方向Ｌに移動させることができる。
【０１０９】
一方で、固定用嵌合部６６１と位置固定穴３２１とが対向する位置において、操作レバー６３に作用させた力を解除することで、係止用バネ６５の付勢力により係止片６４が−Ｌ側に移動する。これにより、係止側テーパ面６４１ａ及び係止側垂直面６４１ｂが被係止側テーパ面６６２ａと接触するとともに、固定片６６を上方に押し上げて、固定用嵌合部６６１と位置固定穴３２１とが嵌合して支持部材３０の前後方向Ｌへの移動を防止できる。
【０１１０】
この発明の構成と、上述の実施形態との対応において、
固定機構は、係合部４３１及び係合凹部３３１に対応し、
被案内部は、ベアリング５０に対応し、
被係止部及び係合凹部は、係合凹部３３１に対応し、
係止部及び係合凸部は、係合部４３１に対応し、
案内構成面は、溝側面３３ａ及び溝底３３ｂに対応し、
非当接部位は、溝底３３ｂに対応し、
案内溝部は、案内部３３に対応し、
被案内突部は、ベアリング５０に対応し、
係止解除機構及び解除操作部は、解除操作部４１に対応し、
付勢部は、コイルバネ４５に対応するが、
この発明は、上述の実施形態の構成のみに限定されるものではなく、多くの実施形態を得ることができる。
【０１１１】
例えば、本実施形態において、案内部３３は、ベアリング５０を嵌合可能な溝形状を、案内方向に直交した直交断面がＩ字型となるように設けられているが、例えば、溝の位置を上下方向に設けた直交断面をＨ字型としてもよく、また案内方向に直交した直交断面の形状がＬ字型若しくは逆Ｌ字型であってもよく、さらには案内方向に沿った板状体である場合を含む。
【０１１２】
また、被案内部に対応するベアリング５０は、案内部３３を構成する溝側面３３ａの一面に沿って転動するベアリングで構成されているが、溝側面３３ａの少なくとも一面に沿って滑り接触する構成であってもよい。
【０１１３】
なお、案内部３３及びベアリング５０は、一方又は双方が単数又は複数であってもよく、さらには一対である必要もない。すなわち、複数のベアリング５０が一の案内部３３に沿って案内されてもよく、案内部３３及びベアリング５０の少なくとも一方が複数ある場合には、案内部３３の案内方向と直交する直交断面において案内部３３が、案内部３３の案内方向に沿った面に対して面対称に設けられている必要はなく、非面対称に設けられていてもよい。
【０１１４】
さらに、図１０に一例を示すように、係合凹部３３１の形状は多岐にわたることができる。具体的には、本実施形態においては、係合凹部３３１は側面視において−Ｌ側が円弧状に形成されるとともに、案内部３３の案内方向の一方に向かうにつれて溝が深くなるテーパ状に形成されているが（図１０（ａ）参照）、例えば図１０（ｂ）に示すように、両端が円弧状に形成された長円形状の係合凹部３３１ｘとしてもよいし、さらには係合凹部の形状を長方形状や円形状をしてもよい。
【０１１５】
また、−Ｌ側に向けてテーパ状に形成しているが、例えば長円形状や円形状の中央部分の溝が一番深くなるようなテーパ形状としてもよいし、テーパ形状でなく係合部４４１の代わりに設けられた係合凸部や係合部４４１と嵌合する窪みとしてもよい。
【０１１６】
なお、係合凹部３３１は必ずしも溝底３３ｂの−Ｗ側側面に設ける必要はなく、＋Ｗ側側面の溝底３３ｂや両側面の溝底３３ｂに設けてもよく、さらには案内部３３の形状に応じて適宜ベアリング５０の回転面（すなわち被案内部の案内面）と接する位置以外に設けてもよい。
【０１１７】
また本実施形態においては、図１１（ａ）に示すように、径方向Ｒに沿った断面において、係合凹部３３１は溝底３３ｂに形成されているが、図１１（ｂ）に示すように、例えば案内部３３が断面図において逆Ｔ字形状をし、ベアリング５０が中央を形成する中央案内面３３ｃと接して転動する場合において、底面である案内底面３３ｄに係合凹部３３１を設けてもよく、また、中央案内面３３ｃの上面に設けてもよい（図１１（ｃ）参照）。  
なお、連結部材２０の構成及び固定解除部４０の構成は適宜係合凹部３３１の位置に合わせて設計変更するが、詳細は省略する。
【０１１８】
また、本実施形態では、係止部に対応する係合部４３１を連結部材２０に備え、被係止部に対応する係合凹部３３１を支持部材３０（案内部３３）に設けているが、例えば、係合部４３１を支持部材３０に備え、被係止部に対応する係合凹部３３１を連結部材２０に設けてもよく、さらには、案内部３３を連結部材２０に、ベアリング５０を支持部材３０に設けてもよい。
【符号の説明】
【０１１９】
１      ヘッドレスト
２      背板
３      座席シート
１０    頭部保持部
２０    支持部材
３０    連結部材
３３    案内部
３３ａ  溝側面
３３ｂ  溝底
３３１  係合凹部
４０    固定解除部
４１    解除操作部
４３１  係合部
４５    コイルバネ
５０    ベアリング
６０    移動機構
１００  医療用診療台
【図１】
2018099456.tif 000003
【図２】
2018099456.tif 000004
【図３】
2018099456.tif 000005
【図４】
2018099456.tif 000006
【図５】
2018099456.tif 000007
【図６】
2018099456.tif 000008
【図７】
2018099456.tif 000009
【図８】
2018099456.tif 000010
【図９】
2018099456.tif 000011
【図１０】
2018099456.tif 000012
【図１１】
2018099456.tif 000013